(57)【要約】【課題】磁気治療効果を得られつつ、磁石付きであることがにくいパンツを提供する。【解決手段】本発明であるパンツ１は、少なくとも前面側の中央部分１１に複数個の磁石４１を配置して備えている。そして、前面側の中央部分１１の外表面を、凹凸形状に形成している。特に、上記磁石４１は円形形状であり、前面側の中央部分の外表面に円形形状の凸部１２ａを複数配置して、当該凸部１２ａにて前面側の中央部分の外表面を凹凸形状に形成している。【選択図】図１
2019085670.tif 000002
【特許請求の範囲】
【請求項１】
少なくとも前面側の中央部分に複数個の磁石を配置して備えたパンツであって、
前面側の中央部分の外表面を、凹凸形状に形成した、
パンツ。
【請求項２】
請求項１に記載のパンツであって、
前記磁石は円形形状であり、
前面側の中央部分の外表面に円形形状の凸部を複数配置して、当該凸部にて前面側の中央部分の外表面を前記凹凸形状に形成した、
パンツ。
【請求項３】
請求項２に記載のパンツであって、
前面側の中央部分に、複数の磁石を規則的に配置し、
前面側の中央部分の外表面に円形形状の複数の前記凸部を規則的に配列して、前面側の中央部分の外表面を前記凹凸形状に形成した、
パンツ。
【請求項４】
請求項１乃至３のいずれかに記載のパンツであって、
前面側の中央部分の上端付近から下端付近にかけて、前面側の中央部分の外表面を前記凹凸形状に形成した、
パンツ。
【請求項５】
請求項１乃至４のいずれかに記載のパンツであって、
前面側の中央部分に、上端付近から下端付近にかけて複数の磁石を中央配置磁石として配置すると共に、前記前面側の中央部分の上端付近に位置する前記中央配置磁石の両側方に、さらに磁石を配置した、
パンツ。
【請求項６】
請求項１乃至５のいずれかに記載のパンツであって、
背面側の中央部分の上端付近に、複数の磁石をさらに配置した、
パンツ。
【請求項７】
請求項１乃至６のいずれかに記載のパンツであって、
前記磁石を取り付ける箇所の生地を二重に形成し、当該二重の生地の間であり、かつ、パンツの内部側に位置する生地に、前記磁石が取り付けられており、
さらに、前記磁石が取り付けられた生地の当該磁石が取り付けられた箇所がパンツの内部側に突出するよう、当該磁石が取り付けられている、
パンツ。
【請求項８】
請求項１乃至７のいずれかに記載のパンツであって、
前記磁石を取り付ける箇所の生地を二重に形成し、当該二重の生地の間であり、かつ、パンツの内部側に位置する生地に、前記磁石を取り付け、
前記磁石を取り付けた生地のパンツの内部側の表面をドット柄に形成した、
パンツ。
【発明の詳細な説明】
【技術分野】
【０００１】
本発明は、パンツにかかり、特に、磁性体を装備したパンツに関する。
【背景技術】
【０００２】
永久磁石を身体の表面に貼り付けることで、永久磁石の発する磁気により血行等をよくすることが知られている。このような永久磁石の機能から、永久磁石を下着等の衣類やバンド、サポータ等に取り付けて着用することが行われている。例えば、特許文献１，２に開示のパンツでは、パンツの前面側及び背面側の身体の各ツボに対応する位置に、磁石を配置している。
【先行技術文献】
【特許文献】
【０００３】
【特許文献１】実用新案登録第３０７９６３３号公報
【特許文献２】実用新案登録第３１０８１５４号公報
【発明の概要】
【発明が解決しようとする課題】
【０００４】
しかしながら、上述した特許文献１，２に開示のパンツでは、パンツの外から磁石の形が視認しやすく、磁石付きのパンツであることがわかりやすいため、かかるパンツを利用しにくい、という問題が生じる。
【０００５】
このため、本発明の目的は、磁気治療効果を得られるものの、磁石付きであることがわかりやすいために利用しづらい、という問題を解決することができるパンツを提供することにある。
【課題を解決するための手段】
【０００６】
本発明の一形態であるパンツは、
少なくとも前面側の中央部分に複数個の磁石を配置して備えたパンツであって、
前面側の中央部分の外表面を、凹凸形状に形成した、
という構成をとる。
【０００７】
また、上記パンツでは、
前記磁石は円形形状であり、
前面側の中央部分の外表面に円形形状の凸部を複数配置して、当該凸部にて前面側の中央部分の外表面を前記凹凸形状に形成した、
という構成をとる。
【０００８】
また、上記パンツでは、
前面側の中央部分に、複数の磁石を規則的に配置し、
前面側の中央部分の外表面に円形形状の複数の前記凸部を規則的に配列して、前面側の中央部分の外表面を前記凹凸形状に形成した、
という構成をとる。
【０００９】
また、上記パンツでは、
前面側の中央部分の上端付近から下端付近にかけて、前面側の中央部分の外表面を前記凹凸形状に形成した、
という構成をとる。
【００１０】
また、上記パンツでは、
前面側の中央部分に、上端付近から下端付近にかけて複数の磁石を中央配置磁石として配置すると共に、前記前面側の中央部分の上端付近に位置する前記中央配置磁石の両側方に、さらに磁石を配置した、
という構成をとる。
【００１１】
また、上記パンツでは、
背面側の中央部分の上端付近に、複数の磁石をさらに配置した、
という構成をとる。
【００１２】
また、上記パンツでは、
前記磁石を取り付ける箇所の生地を二重に形成し、当該二重の生地の間であり、かつ、パンツの内部側に位置する生地に、前記磁石が取り付けられており、
さらに、前記磁石が取り付けられた生地の当該磁石が取り付けられた箇所がパンツの内部側に突出するよう、当該磁石が取り付けられている、
という構成をとる。
【００１３】
また、上記パンツでは、
前記磁石を取り付ける箇所の生地を二重に形成し、当該二重の生地の間であり、かつ、パンツの内部側に位置する生地に、前記磁石を取り付け、
前記磁石を取り付けた生地のパンツの内部側の表面をドット柄に形成した、
という構成をとる。
【発明の効果】
【００１４】
本発明のパンツによると、磁石と取り付ける箇所の外表面を凹凸形状に形成しているため、取り付けた磁石の形状が外部から視認しづらくなり、磁石付きであることがわかりづらくなる。その結果、磁気治療効果を得ることができ、利用しやすいパンツを提供することができる。
【図面の簡単な説明】
【００１５】
【図１】本発明におけるパンツの前面側の外表面を示す図である。
【図２】本発明におけるパンツの前面側の内表面を示す図である。
【図３】本発明におけるパンツの背面側の内表面を示す図である。
【図４】本発明におけるパンツの磁石取り付け箇所の構造を示す断面図である。
【発明を実施するための形態】
【００１６】
＜実施形態１＞
本発明の第１の実施形態を、図１乃至図４を参照して説明する。図１は、パンツの前面側の外表面を示す図であり、図２は前面側の内表面を示す図である。図３は、パンツの背面側の内表面を示す図である。図４は、パンツの磁石取り付け箇所の構造を示す断面図である。
【００１７】
本発明の実施形態１におけるパンツ１は、主に男性が装着するものであるが、女性が装着してもよい。そして、本発明におけるパンツ１は、パンツ１に磁石４１，４２，４３が装着されていることで、精力や疲労の回復、血行の改善など、磁気治療効果を発揮するものである。
【００１８】
図１は、パンツ１の前面側の外表面１０Ａ、つまり、装着する人間の下腹部付近における外側の表面１０Ａを示している。この図に示すように、パンツ１の前面側の中央部分１１の外表面を構成する外側生地１２は、円形形状の凸部１２ａが多数配置されて形成されており、凹凸形状に形成されている。
【００１９】
具体的に、凸部１２ａが配置されている中央部分１１は、パンツ１の左右方向における中央箇所において所定の幅を有する部位であり、パンツの高さ方向の上端付近から下端付近にかけて位置している。但し、凸部１２ａが形成されている中央部分１１の外側生地１２は、パンツ１の上端に位置し、人間の腰回りを締め付けるゴム部材などからなる締め付け部は含まれてないこととする。
【００２０】
また、凸部１２ａは、図１に示すように、パンツ１の中央部分１１全体の外側生地１２の外表面に、複数が規則的に配列されている。但し、複数の凸部１２ａは、必ずしも規則的に配列されていることに限定されず、パンツ１の中央部分１１の外側生地１２にランダムに配置されていてもよい。また、図１では、凸部１２ａが円形形状である場合を例示しているが、凸部１２ａの外形はいかなる形状であってもよい。
【００２１】
また、図２の点線で示すように、パンツ１の中央部分１１には、円形形状の磁石４１（中央配置磁石）が複数配置されている。図２の例では、磁石４１は、パンツ１の中央部分１１に、上下方向に沿って３列に配列されており、各列及び列間においてで、磁石４１が等間隔に規則的に配置されている。なお、パンツ１の中央部分１１に配置されている磁石４１は、必ずしも図２に示すような配列で配置されていることに限定されず、ランダムに配置されていてもよい。また、磁石４１は、円形形状であることに限定されず、外形がいかなる形状であってもよい。
【００２２】
ここで、図２は、パンツ１の前面側の内部面１０Ｂ、つまり、装着する人間の下腹部付近における当該下腹部と接する内部側の表面１０Ｂを示している。この図において磁石４１は点線で示しているように、パンツ１の生地のさらに内部に設けられている。かかる構成とするために、パンツ１の前面側の中央部分１１の生地は、図４に示すように、二重に形成されている。具体的に、パンツ１の前面側の中央部分１１の生地は、上述したように凸部１１ａが設けられた外側生地１２と、パンツ１の内部側に位置する内側生地１３と、により構成されている。
【００２３】
そして、上述した磁石４１は、図４に示すように、パンツ１の前面側の中央部分１１における二重の生地１２，１３の間に取り付けられており、特に、内側生地１３に取り付けられている。具体的に、磁石４１は、内側生地１３の磁石４１が取り付けられた箇所４１ａが、パンツ１の内部側に突出するよう取り付けられる。さらに言うと、磁石４１は、内側生地１３に対して外側生地１２側からパンツ１の内部側に押し出されるように押し付けられて配置され、外側生地１２側にあて布５０を貼り付けて塞ぐ。これにより、磁石４１は、内側生地１３とあて布５０とで挟まれて取り付けられることとなる。但し、磁石４１の取り付け方法はいかなる方法であってもよい。
【００２４】
また、パンツ１の前面側の内部面１０Ｂにおける中央部分１１の内側生地１３は、ドット柄に形成されている。つまり、パンツ１の中央部分１１の内部側の表面は、ドット柄に形成されている。なお、ドット柄のドットの形状は、円形であってもよく、いかなる形状であってもよい。また、ドット柄のドットの色は、いかなる色であってもよい。
【００２５】
以上のように、本実施形態におけるパンツ１は、まず前面側の中央部分１１に磁石４１が配置されていることで、磁気治療効果を得ることができる。これに加え、前面側の中央部分１１の外表面１０Ａに凸部１２ａが設けられていて凹凸形状に形成されているため、取り付けられている磁石４１の形状を外側から視認しづらくなり、磁石付きのパンツ１であることがわかりにくくなる。また、磁石４１は、中央部分１１の内部側１０Ｂに位置する内側生地１３に取り付けられているため、より外部から視認しづらくなる。さらには、内側生地１３がドット柄であるため、パンツ１の内側からでも視認しづらくなる。このため、本発明におけるパンツ１は、磁石付きであることがわかりにくいため、利用が容易となる。
【００２６】
なお、本実施形態におけるパンツ１は、上述した前面側の中央部分１１に限らず、他の場所に磁石が取り付けられていてもよい。例えば、図１，２に示すように、中央配置磁石と称した磁石４１が取り付けられた中央部分１１の上端付近、具体的には、締め付け部３０よりも下方の上端付近、の両側部１４に、それぞれ複数の磁石４２を設けてもよい。なお、磁石４２は、上述した中央部分１１の磁石４１と同様に、かかる箇所１４の生地を二重として取り付けられるが、いかなる方法で取り付けられてもよい。
【００２７】
また、図３は、パンツ１の背面側の内部面２０Ｂ、つまり、装着する人間の腰部付近における当該腰部と接する内側の表面２０Ｂを示しているが、この図に示すように、本実施形態におけるパンツ１は、背面側にも磁石５３が取り付けられている。具体的には、パンツ１の背面側の中央部分の上端付近１５、つまり、締め付け部３０よりも下方の上端付近１５に、それぞれ複数の磁石４３を設けてもよい。なお、磁石４３は、上述した前面側の中央部分１１の磁石４１と同様に、かかる箇所１５の生地を二重として取り付けられるが、いかなる方法で取り付けられてもよい。
【００２８】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００２９】
１  パンツ
１０Ａ  前面側の外表面
１０Ｂ  前面側の内部面
２０Ｂ  背面側の内部面
１１  中央部分
１２  外側生地
１２ａ  凸部
１３  内側生地
４１，４２，４３  磁石
【図１】
2019085670.tif 000003
【図２】
2019085670.tif 000004
【図３】
2019085670.tif 000005
【図４】
2019085670.tif 000006